(57)【特許請求の範囲】
【請求項１】
記録媒体に向けてインクを吐出して前記記録媒体に画像を記録するインク吐出手段と、
前記インク吐出手段のインク吐出領域を前記記録媒体が通過するように前記記録媒体を搬送する、表面に複数の吸引口が形成された搬送ベルトと、
吸引ファンにより、前記吸引口を介して負圧を発生して前記搬送ベルトに前記記録媒体を吸着させる吸着手段と、を備えた画像形成装置において、
前記吸引ファンに流れる駆動電流を検知する駆動電流検知手段と、
前記記録媒体が前記インク吐出領域を通過する際に、前記記録媒体によって覆われる前記吸引口の面積の変動に伴い前記駆動電流検知手段が検知する駆動電流の変化に応じて、前記吸引ファンに印加する駆動電圧を切り替える駆動電圧切り替え手段と、を備え、
前記駆動電圧切り替え手段は、前記駆動電流検知手段が検知する駆動電流が上昇すると、前記駆動電圧を高い電圧に切り替えることを特徴とする画像形成装置。
【請求項２】
記録媒体に向けてインクを吐出して前記記録媒体に画像を記録するインク吐出手段と、
前記インク吐出手段のインク吐出領域を前記記録媒体が通過するように前記記録媒体を搬送する、表面に複数の吸引口が形成された搬送ベルトと、
吸引ファンにより、前記吸引口を介して負圧を発生して前記搬送ベルトに前記記録媒体を吸着させる吸着手段と、を備えた画像形成装置において、
前記吸引ファンに流れる駆動電流を検知する駆動電流検知手段と、
前記記録媒体が前記インク吐出領域を通過する際に、前記記録媒体によって覆われる前記吸引口の面積の変動に伴い前記駆動電流検知手段が検知する駆動電流の変化に応じて、前記吸引ファンに印加する駆動電圧を切り替える駆動電圧切り替え手段と、を備え、
前記駆動電圧切り替え手段は、前記駆動電流検知手段が検知する駆動電流が下降すると、前記駆動電圧を低い電圧に切り替えることを特徴とする画像形成装置。
【請求項３】
前記吸着手段は、前記吸引ファンをそれぞれ収容する負圧形成室を、記録媒体搬送方向に複数配置したものから構成されることを特徴とする請求項１または請求項２に記載の画像形成装置。
【請求項４】
前記吸着手段は、前記吸引ファンをそれぞれ収容する負圧形成室を、記録媒体搬送方向およびこの記録媒体搬送方向に直行する方向にマトリックス状に複数配置したものから構成されることを特徴とする請求項１または請求項２に記載の画像形成装置。
【発明の詳細な説明】
【技術分野】
【０００１】
本発明は、吸引ファンにより負圧を形成した搬送ベルトにより記録媒体を吸着して搬送し、搬送された記録媒体にインクを吐出して画像を形成する画像形成装置に関する。
【背景技術】
【０００２】
従来、この種の画像形成装置においては、記録媒体を搬送ベルトに確実に吸着するために必要な画像記録部周囲の圧力と搬送ベルトの周辺の圧力の差圧が最小限になるように吸引ファンの風量を制御するとともに、画像記録部および搬送ベルトに設けたエアダンパで圧力を抑制するよう構成することにより、記録媒体先端部のエア流等によりインク着弾位置精度が悪化して画像品質が劣化することを抑制するようにした技術が知られている（例えば、特許文献１参照）。
【発明の概要】
【発明が解決しようとする課題】
【０００３】
しかしながら、特許文献１に記載された技術では、インク着弾位置のズレを抑制するために、記録媒体を吸引により固定する負圧形成部以外に、画像記録部に設けるエア流発生部、画像記録部と媒体固定部を覆うカバー、さらに画像記録部と媒体固定部にエアダンパを設けているため、非常に複雑な構成と制御が必要になってしまうという問題があった。
【０００４】
本発明はこのような問題を解決するためになされたもので、吸引ファンの水平方向気流による用紙端部での着弾位置ズレを抑制することができる画像形成装置を提供するものである。
【課題を解決するための手段】
【０００５】
本発明に係る画像形成装置は、記録媒体に向けてインクを吐出して前記記録媒体に画像を記録するインク吐出手段と、前記インク吐出手段のインク吐出領域を前記記録媒体が通過するように前記記録媒体を搬送する、表面に複数の吸引口が形成された搬送ベルトと、吸引ファンにより、前記吸引口を介して負圧を発生して前記搬送ベルトに前記記録媒体を吸着させる吸着手段と、を備えた画像形成装置において、前記吸引ファンに流れる駆動電流を検知する駆動電流検知手段と、前記記録媒体が前記インク吐出領域を通過する際に、前記記録媒体によって覆われる前記吸引口の面積の変動に伴い前記駆動電流検知手段が検知する駆動電流の変化に応じて、前記吸引ファンに印加する駆動電圧を切り替える駆動電圧切り替え手段と、を備えたものであって、前記駆動電圧切り替え手段は、前記駆動電流検知手段が検知する駆動電流が上昇すると、前記駆動電圧を高い電圧に切り替えることを特徴とするか、あるいは、前記駆動電流検知手段が検知する駆動電流が下降すると、前記駆動電圧を低い電圧に切り替えることを特徴とする。
【発明の効果】
【０００６】
本発明によれば、吸引ファンの水平方向気流による用紙端部での着弾位置ズレを抑制することができる画像形成装置を提供することができる。
【図面の簡単な説明】
【０００７】
【図１】本発明の一実施の形態に係る画像形成装置の概略構成を示す側面図である。
【図２】本発明の一実施の形態に係る画像形成装置の概略構成を示す平面図である。
【図３】本発明の一実施の形態に係る画像形成装置の搬送部における吸引ファンの駆動電流検知による駆動電圧制御について説明するフロー図である。
【図４】本発明の一実施の形態に係る画像形成装置の搬送部の用紙搬送待機時の状態を示す側面図である。
【図５】本発明の一実施の形態に係る画像形成装置の搬送部の用紙搬送待機時における吸引ファンの駆動電圧および駆動電流を示す図である。
【図６】本発明の一実施の形態に係る画像形成装置の搬送部の用紙搬送開始時の状態を示す側面図である。
【図７】本発明の一実施の形態に係る画像形成装置の搬送部の用紙搬送開始時における吸引ファンの駆動電圧および駆動電流を示す図である。
【図８】本発明の一実施の形態に係る画像形成装置の搬送部の用紙搬送中の状態を示す側面図である。
【図９】本発明の一実施の形態に係る画像形成装置の搬送部の用紙搬送中における吸引ファンの駆動電圧および駆動電流を示す図である。
【図１０】本発明の一実施の形態に係る画像形成装置の搬送部の用紙搬送終了時の状態を示す側面図である。
【図１１】本発明の一実施の形態に係る画像形成装置の搬送部の用紙搬送終了時における吸引ファンの駆動電圧および駆動電流を示す図である。
【図１２】本発明の一実施の形態に係る画像形成装置の搬送部の変形例を示す側面図である。
【図１３】本発明の一実施の形態に係る画像形成装置の搬送部の他の変形例を示す上面図である。
【発明を実施するための形態】
【０００８】
以下、本発明の実施の形態について、図面を参照して説明する。
【０００９】
図１、図２に示すように、画像形成装置１００は、ライン型画像形成装置として構成されており、装置本体１と、用紙Ｐを積載し給紙する給紙トレイ２と、印刷された用紙Ｐを排紙積載する排紙トレイ３と、用紙Ｐを給紙トレイ２から排紙トレイ３まで搬送する搬送ユニット４と、搬送ユニット４によって搬送される用紙Ｐに液滴を吐出し印字する記録ヘッド５０を有するヘッド部５と、印刷終了後又は所定のタイミングでヘッド部５の各記録ヘッド５０の維持回復を行う維持回復機構としてのメンテナンス装置６と、メンテナンス装置６の図示しないキャップ部材、ワイパ部材（ブレード手段）を清掃（クリーニング）するワイパ清掃手段としてのクリーナ装置７を備えている。
【００１０】
装置本体１は、図示しない前後側板およびステーなどで構成されており、給紙トレイ２上に積載されている用紙Ｐは、分離ローラ２１および給紙ローラ２２によって１枚ずつ搬送ユニット４に給紙されるようになっている。
【００１１】
搬送ユニット４は、搬送駆動ローラ４１Ａと搬送従動ローラ４１Ｂと、これら搬送駆動ローラ４１Ａと搬送従動ローラ４１Ｂの間に掛け回された無端状の搬送ベルト４３とを備えている。この搬送ベルト４３の表面には複数の図示しない吸引口が形成されており、搬送ベルト４３の下部には、負圧を発生して搬送ベルト４３に用紙Ｐを吸着する吸引ファン４４が配置されている。また、搬送駆動ローラ４１Ａおよび搬送従動ローラ４１Ｂの上部には、それぞれ搬送ガイドローラ４２Ａおよび搬送ガイドローラ４２Ｂが図示しないガイドに保持されて、自重にて搬送ベルト４３に当接している。
【００１２】
搬送ベルト４３は、搬送駆動ローラ４１Ａが図示しないモータにより回転されることで周回移動し、用紙Ｐは搬送ベルト４３上に吸引ファン４４により吸い付けられ、搬送ベルト４３の周回移動によって、記録ヘッド５０のインク吐出領域を通過するように搬送されるようになっている。なお、搬送従動ローラ４１Ｂ、搬送ガイドローラ４２Ａ、４２Ｂは搬送ベルト４３により従動回転するようになっている。なお、本実施の形態では、無端状の搬送ベルト４３をその表面が無端移動するように構成しているが、これに限らず、例えば、搬送ベルト４３を、２つのローラの一方により巻き出して他方のローラにより巻き取るように構成し、これら２つのローラの回転によりその表面が移動するようにしてもよい。
【００１３】
搬送ユニット４の上部には用紙Ｐに印字する液滴を吐出する複数のヘッド１０１を有するヘッド部５が移動可能（本実施の形態では昇降移動可能）に配置されている。このヘッド部５は、維持回復動作時（メンテナンス時）には、メンテナンス装置６がヘッド部５の下方まで進入してくるスペースを確保する位置まで上昇するようになっている。
【００１４】
ヘッド部５は、ヘッド保持部材であるベース部材５２に一列に配列した複数（この例では５個）のヘッド１０１で構成される４つのヘッド列５１Ａ〜５１Ｄ（以下、単にヘッド列５１ともいう）を有する記録ヘッド５０を備えている。ヘッド１０１においては、液滴を吐出する複数のノズルがノズル面に２列配列されている。
【００１５】
そして、ヘッド列５１Ａ、５１Ｂの各ヘッド１０１の２つのノズル列の一方でイエロー（Ｙ）の液滴を、他方でマゼンタ（Ｍ）の液滴を吐出し、また、ヘッド列５１Ｃ、５１Ｄの２つのノズル列の一方でシアン（Ｃ）の液滴を、他方でブラック（Ｋ）の液滴を吐出する。すなわち、ヘッド部５は、同じ色の液滴を吐出する２つのヘッド列５１が用紙搬送方向に並べて配置され、２つのヘッド列５１で用紙幅相当の１列分のノズル列が構成されている。本実施の形態では、１５０ｄｐｉの画像１ラインとしている。
【００１６】
なお、各色のライン構成は、上記に限るものではなく、各色の配置は特に限定はない。また、ヘッド部５の構成も、この例に限るものではなく、例えば上記のヘッド部５を２個並べて１ヘッド列に１色を割り当てて、画像解像度を上記の２倍にした構成等としてもよい。
【００１７】
また、ヘッド部５においては、記録ヘッド５０の各ヘッド１０１にインクをそれぞれ供給する図示しない分岐部材が各色ごとに配列され、分岐部材の上流側には、図示しないサブタンクが配置され、サブタンクとヘッド１０１との水頭差によって、ヘッド１０１のノズルのメニスカスを保持するのに適切な負圧が形成される。さらに、サブタンク上流側には、インクを貯蔵する交換可能な図示しないメインタンクが配置されている。
【００１８】
搬送ユニット４の下流側には、用紙Ｐを排紙トレイ３に排紙する搬送ガイド４５が配置されている。搬送ガイド４５にて搬送された用紙Ｐは排紙トレイ３に排紙されるようになっている。排紙トレイ３は、用紙Ｐの幅方向を規制する対のサイドフェンス３１と、用紙Ｐの先端を規制するエンドフェンス３２とを備えている。
【００１９】
搬送ユニット４の上方でヘッド部５の側方には、ヘッド１０１のノズル面をメンテナンスするメンテナンス装置６が配置されている。メンテナンス装置６は、ヘッド列５１Ａ〜５１Ｄの各ヘッド１０１に対応してノズル面をキャッピングするキャップ６１と、各ヘッド１０１に対応してノズル面をワイピングするブレード状の図示しないワイパ部材（ワイパブレード）と、１列分のキャップ６１内を吸引する図示しない吸引手段などを有している。
【００２０】
このメンテナンス装置６は、キャップ６１にてヘッド１０１のノズル面を密閉した状態で吸引手段によって吸引することでノズルから増粘したインクを排出させてヘッド１０１の吐出性能を回復させるようになっている。
【００２１】
なお、メンテナンス装置６の吸引手段６３やキャップ６１と吸引手段をつなぐ流路、その他圧力室等は、装置本体１の後側板の外側に配置し、チューブ等の経路を使用して接続することもできる。また、維持回復時に吸引に代えて、あるいは吸引とともに、ヘッド１０１の上流側から加圧手段によってヘッド１０１内を加圧する構成とすることもできる。
【００２２】
このメンテナンス装置６は、搬送ユニット４の上方で用紙搬送方向に沿ってスライド移動可能に配置され、ヘッドメンテナンス時にはヘッド部５が上昇した後、ヘッド部５の下部に移動し、印字中は図１に示す位置に退避する。
【００２３】
メンテナンス装置６の上部には、キャップ６１および図示しないワイパブレードに付着した液滴（廃液）を清掃するクリーナ装置７が配置されている。このクリーナ装置７は、図示しないクリーナ移動手段によって用紙搬送面に対して鉛直方向に上下移動可能に配置されている。
【００２４】
ヘッド１０１のメンテナンスが終了したメンテナンス装置６がヘッド部５の側方に退避した状態において、クリーナ装置７が下降移動し、キャップ６１およびワイパブレードを清掃するようになっている。
【００２５】
また、本実施の形態では、画像形成装置１００は、吸引ファン４４に流れる駆動電流を検知する駆動電流検知手段７１と、この駆動電流検知手段７１が検知した駆動電流の変化に応じて、吸引ファン４４に印加する駆動電圧を切り替える駆動電圧切り替え手段７２と、を備えている。
【００２６】
ここで、図３のフロー図を参照して、吸引ファン４４の駆動電流検知による駆動電圧制御（切り替え）について説明する。
【００２７】
まず、印刷を開始すると、吸引ファン４４の駆動電圧を低い電圧Ｖ１に設定する（ステップＳ１）。ステップＳ１においては、用紙Ｐを搬送しない場合、搬送ベルト４３による吸引力は必要無いため、記録ヘッド５０の直下の水平方向の気流が吐出位置ズレに影響を与えない程度の低い吸引力になるよう低い電圧Ｖ１に設定している。
【００２８】
なお、記録ヘッド５０の直下の水平方向の気流は、吸引ファン４４に吸引される空気が記録ヘッド５０と搬送ベルト４３の間の狭い空間を通って外部から流入することにより発生している。
【００２９】
ついで、指定された印刷枚数に達したか否か判断し（ステップＳ２）、指定印刷枚数を超えた場合は印刷を終了し、指定印刷枚数以下の場合はステップＳ３に進む。
【００３０】
ステップＳ３では、駆動電流検知手段７１により検知された駆動電流の変化が閾値以上か判断し、閾値未満の場合はステップＳ２に戻り、閾値以上の場合はステップＳ４に進む。
【００３１】
このステップＳ３においては、用紙Ｐが給紙前の場合、および用紙Ｐの全面が搬送ベルト４３上にある場合は、吸引ファン４４の駆動負荷は一定となり、吸引ファン４４の駆動電流はほとんど変化しないため、ステップＳ２に戻り、駆動電圧の切り替えを行わない。
【００３２】
ここで、前述の場合以外の給紙が開始されて搬送ベルト４３の吸引口を塞ぎ始めたときと、印字がほぼ終わり用紙Ｐが排紙され始めて搬送ベルト４３の吸引口を開放し始めたときは、搬送ベルト４３の吸引口の開口面積が変化して吸引ファン４４の駆動負荷が変化し、吸引ファン４４の駆動電流が変化する。ステップＳ３においては、吸引ファン４４の駆動電流の変化量が予め設定された閾値以上か否かを判断している。
【００３３】
ステップＳ４では、吸引ファン４４の駆動電流変化が上昇か下降かを判断し、上昇の場合にはステップＳ６に進み、下降の場合にはステップＳ５に進む。
【００３４】
このステップＳ４においては、吸引ファン４４の駆動電流変化が下降変化の場合には、印字がほぼ終了し用紙Ｐの排紙が始ったこととなるため、吸引ファン４４の吸引力を下げるために駆動電圧を下げるようステップＳ５に進むようになっている。
【００３５】
また、このステップＳ４においては、吸引ファン４４の駆動電流変化が上昇変化の場合には、新たに用紙Ｐが給紙されたこととなるため、吸引ファン４４の吸引力を上げるために駆動電圧を上げるようステップＳ６に進むようになっている。
【００３６】
ステップＳ５では、吸引ファン４４の駆動電圧を低い電圧Ｖ１に設定（すなわちステップＳ１で設定済みの電圧Ｖ１を維持）し、ステップＳ２に戻り、ステップＳ６では、吸引ファン４４の駆動電圧を高い電圧Ｖ２に設定し、ステップＳ２に戻る。なお、このフロー図において、ステップＳ３〜ステップＳ６の処理は、駆動電圧切り替え手段７２により実行される。
【００３７】
図４、図５に示すように、用紙搬送待機時は、吸引ファン４４が低い電圧Ｖ１で駆動されている。すなわち、用紙搬送待機時は、搬送ベルト４３上に用紙Ｐが無いため、搬送ベルト４３の吸引口はすべて開口されており、吸引ファン４４には吸引負荷がほとんどかからないため、吸引ファン４４は低い電圧Ｖ１のまま駆動されている。
【００３８】
電圧Ｖ１は、用紙Ｐを搬送ベルト４３に吸着する最小限の吸引ができる電圧であるため、吸引ファン４４の吸引により発生する記録ヘッド５０の直下の水平方向気流はほとんど発生しない。
【００３９】
図６、図７に示すように、用紙搬送開始時は、搬送された用紙Ｐにより搬送ベルト４３の吸引口が覆われるのに伴って吸引ファン４４の負荷が増加し吸引ファン４４の駆動電流が増加する。駆動電流検知手段７１が所定の閾値Δｉ以上の電流値上昇を検知すると、駆動電圧切り替え手段７２は吸引ファン４４の駆動電圧を高い電圧Ｖ２に切り替える。
【００４０】
前記電圧Ｖ２は、用紙Ｐの搬送に必要な用紙吸着力が得られる電圧に設定されているので、吸引ファン４４の吸引力により用紙Ｐの位置ズレや浮きの発生しない確実な用紙搬送が開始される。また、用紙搬送開始時には、用紙Ｐにより覆われる吸引口の面積が増加していくので、記録ヘッド５０の直下に発生する水平方向の気流が抑制される。
【００４１】
図８、図９に示すように、用紙搬送中は、搬送中の用紙Ｐに記録ヘッド５０の直下の吸引口が覆われており、吸引ファン４４の吸引負荷に大きな変動はなく、用紙搬送開始時に設定された吸引ファン４４の電圧Ｖ２のまま駆動されるため、吸引ファン４４の吸引により位置ズレや浮きの発生しない確実な吸引搬送が行われる。用紙搬送中は、記録ヘッド５０の直下の吸引口は用紙Ｐにより覆われているため、記録ヘッド５０の直下には、吸引ファン４４の吸引による水平方向の気流は発生しない。
【００４２】
図１０、図１１に示すように、用紙搬送終了時には、搬送ベルト４３の吸引口の覆われている面積が用紙Ｐの搬送とともに減少し、吸引ファン４４の駆動負荷も同様に減少し、吸引ファン４４の駆動電流が低下していく。
【００４３】
駆動電流検知手段７１が所定の閾値Δｉ以上の電流値低下を検知すると、駆動電圧切り替え手段７２は吸引ファン４４の駆動電圧を低い電圧Ｖ１に切り替える。この電圧Ｖ１は、用紙Ｐを吸着する最低限の駆動電圧に設定されているため、記録ヘッド５０の直下の吸引ファン４４の吸引による水平方向気流を抑制された状態で次の用紙Ｐの搬送に備えることとなる。
【００４４】
図１２に示すように、吸引ファン４４をそれぞれ収容する独立した負圧形成室７４を用紙搬送方向に複数設けることにより、用紙Ｐが搬送されるに従って用紙Ｐで覆われた部分の負圧形成室７４の吸引ファン４４の駆動電圧のみが高い電圧Ｖ２で駆動され、それ以外の部分の負圧形成室７４の吸引ファン４４は低い電圧Ｖ１で駆動されるため、ヘッド直下に生じる水平方向気流をさらに抑制することができる。
【００４５】
図１２において、吸引ファン４４をそれぞれ収容する負圧形成室７４は、用紙搬送方向に６個設けられており、これら６つの負圧形成室７４の吸引ファン４４は、独立して駆動制御されるようになっている。
【００４６】
図１３に示すように、用紙搬送方向および用紙搬送方向に直角な方向（幅方向）に、吸引ファン４４それぞれ収容する独立した負圧形成室７４をマトリックス状に複数設けることにより、用紙Ｐの搬送位置や用紙サイズ（幅、長さ）に対応して、用紙Ｐに覆われていない部分の負圧形成室７４の吸引ファン４４が低い電圧Ｖ１で駆動されるため、用紙Ｐの位置、サイズに影響されることなく、記録ヘッド５０の直下の水平方向気流をさらに低減することができる。
【００４７】
図１３において、吸引ファン４４をそれぞれ収容する負圧形成室７４は、用紙搬送方向に６列、および用紙搬送方向に直角な方向（幅方向）に７列となる合計４２個設けられており、これら６つの負圧形成室の吸引ファン４４は、独立して駆動制御されるようになっている。
【００４８】
以上のように、本実施の形態に係る画像形成装置１００は、吸引ファン４４に流れる駆動電流を検知する駆動電流検知手段７１と、この駆動電流検知手段７１が検知した駆動電流の変化に応じて、吸引ファン４４に印加する駆動電圧を切り替える駆動電圧切り替え手段７２と、を備えることを特徴とする。
【００４９】
この構成により、用紙Ｐの搬入および搬出等に伴って吸引ファン４４の負荷および駆動電流が変化したとき、駆動電圧切り替え手段７２は、水平方向気流を抑制するよう吸引ファン４４の駆動電圧を切り替えることができる。したがって、吸引ファン４４の水平方向気流による用紙端部での着弾位置ズレを抑制することができる。また、シンプルな構成となるため、コストを低減することができる。また、吸引動作が必要なとき以外の吸引ファン４４の消費電流を低減することができる。
【００５０】
また、本実施の形態に係る画像形成装置１００は、駆動電圧切り替え手段７２は、駆動電流検知手段７１が検知する駆動電流が上昇すると、駆動電圧を高い電圧に切り替えることを特徴とする。
【００５１】
この構成により、吸引ファン４４の吸引力により用紙Ｐの位置ズレや浮きの発生しない確実な用紙搬送が開始される。また、用紙搬送開始時には、用紙Ｐにより覆われる吸引口の面積が増加していくので、吸引ファン４４の吸引により記録ヘッド５０の直下に発生する水平方向の気流が抑制される。
【００５２】
また、本実施の形態に係る画像形成装置１００は、駆動電圧切り替え手段７２は、駆動電流検知手段７１が検知する駆動電流が下降すると、駆動電圧を低い電圧に切り替えることを特徴とする。
【００５３】
この構成により、吸引ファン４４の吸引により記録ヘッド５０の直下に発生する水平方向の気流が抑制された状態で次の用紙Ｐの搬送に備えることができる。
【００５４】
また、本実施の形態に係る画像形成装置１００は、吸着手段は、吸引ファン４４をそれぞれ収容する負圧形成室７４を、用紙搬送方向に複数配置したものから構成されることを特徴とする。
【００５５】
この構成により、用紙Ｐが搬送されるに従って用紙Ｐで覆われた部分の負圧形成室７４の吸引ファン４４の駆動電圧のみが高い電圧Ｖ２に切り替えられ、それ以外の部分の負圧形成室７４の吸引ファン４４は低い電圧Ｖ１で駆動されるため、記録ヘッド５０の直下に生じる水平方向気流をさらに抑制することができる。
【００５６】
また、本実施の形態に係る画像形成装置１００は、吸着手段は、吸引ファン４４をそれぞれ収容する負圧形成室７４を、用紙搬送方向およびこの用紙搬送方向に直行する方向にマトリックス状に複数配置したものから構成されることを特徴とする。
【００５７】
この構成により、用紙Ｐの搬送位置や用紙サイズ（幅、長さ）に対応して、用紙Ｐに覆われていない部分は、低い電圧Ｖ１で吸引ファン４４が吸引されるため、用紙Ｐの位置、サイズに影響されることなく、記録ヘッド５０の直下の水平方向気流をさらに低減することが可能となる。
【符号の説明】
【００５８】
１  装置本体
４  搬送ユニット
５  ヘッド部
４３  搬送ベルト
４４  吸引ファン（吸着手段）
４５  搬送ガイド
５０  記録ヘッド（インク吐出手段）
５１  ヘッド列
５２  ベース部材
６３  吸引手段
７１  駆動電流検知手段
７２  駆動電圧切り替え手段
７４  負圧形成室
１００  画像形成装置
１０１  ヘッド
【先行技術文献】
【特許文献】
【００５９】
【特許文献１】特開２００６−２４０１８５号公報
【図１】
0005862196.tif 000002
【図２】
0005862196.tif 000003
【図３】
0005862196.tif 000004
【図４】
0005862196.tif 000005
【図５】
0005862196.tif 000006
【図６】
0005862196.tif 000007
【図７】
0005862196.tif 000008
【図８】
0005862196.tif 000009
【図９】
0005862196.tif 000010
【図１０】
0005862196.tif 000011
【図１１】
0005862196.tif 000012
【図１２】
0005862196.tif 000013
【図１３】
0005862196.tif 000014